(57)【要約】【課題】機械的な誤差によって、各プリンタに設定されているフィード量と実際に送られるフィード量とが一致しない場合でも、印刷結果に主走査方向のホワイトラインが現われないようにすることで印刷品質の低下を防止することを目的とする。【解決手段】１パス目のパスデータを構成する複数列のドットラインデータのうち、下端のドットラインデータと同じドットラインデータを、２パス目のパスデータの上端に配置させてイメージデータを生成し（ステップＳ１４）、プリンタに送信する（ステップＳ１６）。プリンタは、１パス分の印刷を行う毎に、印刷ヘッドの印字素子群の副走査方向の構成ドット数より１ドット少ないフィード量だけ印刷用紙を搬送し、生成されたイメージデータに基づき、印刷処理を実行する。【選択図】図２
2008250799.tif 000002
【特許請求の範囲】
【請求項１】
副走査方向に並べて配列された印字素子群を備えた印刷ヘッドを主走査方向に駆動させて印刷処理を行うプリンタと、前記プリンタに対し、前記主走査方向の１パス分のデータを複数個配列させて生成したイメージデータを送信するホストコンピュータと、を備えた印刷システムであって、
前記ホストコンピュータは、
先行パスデータを構成する複数列のドットラインデータのうち、下端のドットラインデータと同じドットラインデータを、後続パスデータの上端に配置させてイメージデータを生成するイメージデータ生成部を有し、
前記プリンタは、
１パス分の印刷を行う毎に、前記印字素子群の副走査方向の構成ドット数より１ドット少ないフィード量だけ印刷媒体を搬送する搬送制御部と、
前記イメージデータ生成部によって生成された前記イメージデータに基づき、印刷処理を実行する印刷制御部と、を備えたことを特徴とする印刷システム。
【請求項２】
前記イメージデータ生成部は、前記先行パスデータのドットラインデータと前記後続パスデータのドットラインデータとが重なる場合に、その重なる部分のドットラインデータを前記先行パスデータと前記後続パスデータとで交互に構成することを特徴とする請求項１に記載の印刷システム。
【請求項３】
副走査方向に並べて配列された印字素子群を備えた印刷ヘッドを主走査方向に駆動させて印刷処理を行うプリンタと、前記プリンタに対し、前記主走査方向の１パス分のデータを複数個配列させて生成したイメージデータを送信するホストコンピュータと、を備えた印刷システムの印刷制御方法であって、
前記ホストコンピュータは、
先行パスデータを構成する複数列のドットラインデータのうち、下端のドットラインデータと同じドットラインデータを、後続パスデータの上端に配置させてイメージデータを生成し、
前記プリンタは、
１パス分の印刷を行う毎に、前記印字素子群の副走査方向の構成ドット数より１ドット少ないフィード量だけ印刷媒体を搬送し、
生成された前記イメージデータに基づき、印刷処理を実行することを特徴とする印刷システムの制御方法。
【請求項４】
前記先行パスデータのドットラインデータと前記後続パスデータのドットラインデータとが重なるか否かを判断し、
前記ドットラインデータが重なると判断した場合に、その重なる部分のドットラインデータを前記先行パスデータと前記後続パスデータとで交互に構成することを特徴とする請求項３に記載の印刷システムの制御方法。
【発明の詳細な説明】
【技術分野】
【０００１】
本発明は、イメージデータを生成するホストコンピュータと、ホストコンピュータから受信したイメージデータに基づき印刷処理を実行するプリンタと、を有する印刷システム及び印刷システムの制御方法に関する。
【背景技術】
【０００２】
インパクトプリンタやドットインパクトプリンタ等のシリアルプリンタはいずれも、いくつかの印字素子を駆動し、各印字素子がそれぞれ微小なドットを印字して出力画像の印字を行う。各印字素子は精密に等間隔に配列され、１回目の走査が終了すると、印刷用紙は正確に印字ヘッドの幅だけフィードされ、再び主走査方向の印字が開始される。
【０００３】
一般に、主走査方向に印字を開始する始点から印字を終了する終点までの帯状の領域をパスと呼ぶが、このパスは印刷用紙上で、それぞれ隙間なく精密に配列されることが必要になる。しかしながら、パスとパスとの境界部分で一部重なりが生じたり、あるいは必要以上に離れることによって、主走査方向のラインが現れて印字品質を低下させることがある。
【０００４】
特許文献１には、副走査方向に印字素子群を並べて配列し、印字素子群を等間隔にとびとびに選択した第１グループと第２グループとに区別し、先行するパスで第１グループと第２グループとを交互に駆動しながら印字を行い、後続するパスを先行するパスと一部重なりあうように設定し、後続するパスでは先行パスと重なりあう部分で先行するパスで印字しなかったドットを補完するよう印字を行う方法が記載されている。
【０００５】
【特許文献１】特開平１１−４２８１６号公報
【発明の開示】
【発明が解決しようとする課題】
【０００６】
ところで、印刷ヘッドよりも高さの大きいイメージデータを印刷するときは複数のパスに分けて印刷することになるが、パスとパスの間のフィードが印刷ヘッドの高さよりも大きくなってしまうと上述した主走査方向のラインが発生する。
具体的に主走査方向のラインが現れた場合の印刷結果を図７に示す。
図７（ａ）は、フィード量とパスの高さが一致していて理想的な印刷ができた印刷例であり、図７（ｂ）は、ヘッドの高さが８ドットなのにフィード量が９ドット程度になってしまった例である。図７（ａ）に示すように‘−’の記号を印刷するのに２ライン必要とする場合、イメージデータの構成によって１ライン目は１パス目で印刷し、２ライン目は２パス目で印刷する場合が生じることがある。つまり、‘−’のイメージデータが２パス目にまたがってしまうことがある。
【０００７】
このようなイメージデータに従って印刷処理を実行しても、フィード量とパスの高さが一致していれば図７（ａ）に示すように印刷結果に主走査方向のラインは現れることはない。しかしながら、フィード量がパスの高さよりも大きいと図７（ｂ）に示すように１ドット分多くフィードされてしまうため、‘−’の記号を構成するイメージデータの１ライン目と２ライン目との間、つまり１パス目と２パス目との繋ぎ目に主走査方向のホワイトラインが現れてしまう。これでは、‘−’の記号が‘＝’に見えてしまうかもしれない。
【０００８】
本発明は、上記課題を解決するためになされたものであって、機械的な誤差によって各プリンタに設定されているフィード量と実際に送られるフィード量とが一致しない場合でも、印刷結果に主走査方向のホワイトラインが現われないようにすることで印刷品質の低下を防止することを目的とする。
【課題を解決するための手段】
【０００９】
上記課題を解決することのできる本発明は、副走査方向に並べて配列された印字素子群を備えた印刷ヘッドを主走査方向に駆動させて印刷処理を行うプリンタと、前記プリンタに対し、前記主走査方向の１パス分のデータを複数個配列させて生成したイメージデータを送信するホストコンピュータと、を備えた印刷システムであって、
前記ホストコンピュータは、
先行パスデータを構成する複数列のドットラインデータのうち、下端のドットラインデータと同じドットラインデータを、後続パスデータの上端に配置させてイメージデータを生成するイメージデータ生成部を有し、
前記プリンタは、
１パス分の印刷を行う毎に、前記印字素子群の副走査方向の構成ドット数より１ドット少ないフィード量だけ印刷媒体を搬送する搬送制御部と、前記イメージデータ生成部によって生成された前記イメージデータに基づき、印刷処理を実行する印刷制御部と、を備えたことを特徴とする。
【００１０】
また、上記課題を解決することのできる本発明は、副走査方向に並べて配列された印字素子群を備えた印刷ヘッドを主走査方向に駆動させて印刷処理を行うプリンタと、前記プリンタに対し、前記主走査方向の１パス分のデータを複数個配列させて生成したイメージデータを送信するホストコンピュータと、を備えた印刷システムの印刷制御方法であって、
前記ホストコンピュータは、
先行パスデータを構成する複数列のドットラインデータのうち、下端のドットラインデータと同じドットラインデータを、後続パスデータの上端に配置させてイメージデータを生成し、
前記プリンタは、
１パス分の印刷を行う毎に、前記印字素子群の副走査方向の構成ドット数より１ドット少ないフィード量だけ印刷媒体を搬送し、生成された前記イメージデータに基づき、印刷処理を実行することを特徴とする。
【００１１】
上記構成によれば、ホストコンピュータは下端のドットラインデータと同じドットラインデータを、後続パスデータの上端に配置させてイメージデータを生成し、プリンタは１パス分の印刷を行う毎に、印字素子群の副走査方向の構成ドット数より１ドット少ないフィード量で印刷媒体を搬送する。このため、プリンタのフィード量に誤差が生じて正常なフィード量より大きくなってしまった場合でも、プリンタは１ドット少ないフィード量で印刷媒体を搬送するので、後続パスデータの上端に配置させたイメージデータを先行パスデータに続けて印字することができる。したがって、フィード量に誤差が発生してもパスとパスとの間の主操作方向のホワイトラインを防止することができる。
【００１２】
また、本発明において、前記イメージデータ生成部は、前記先行パスデータのドットラインデータと前記後続パスデータのドットラインデータとが重なる場合に、その重なる部分のドットラインデータを前記先行パスデータと前記後続パスデータとで交互に構成することを特徴とする。
【００１３】
また、本発明において、前記先行パスデータのドットラインデータと前記後続パスデータのドットラインデータとが重なるか否かを判断し、
前記ドットラインデータが重なると判断した場合に、その重なる部分のドットラインデータを前記先行パスデータと前記後続パスデータとで交互に構成することを特徴とする。
【００１４】
上記構成によれば、先行パスデータのドットラインデータと後続パスデータのドットラインデータとが重なる場合には、重なる部分のドットラインデータを先行パスデータと後続パスデータとで交互に構成するので、単純に重ねて印字した場合と比べてその分部が濃く印刷されてしまうことを防止することができる。したがって、通常の印字結果と同程度の印字品質を維持することができる。
【発明を実施するための最良の形態】
【００１５】
本発明に係るホストコンピュータ、ホストコンピュータと通信可能に接続されたプリンタを有する印刷システムの実施形態について説明する。図１は、本実施形態の印刷システムの内部処理を説明する制御ブロック図である。
【００１６】
本実施形態の印刷システム１は、ホストコンピュータ１０と、ホストコンピュータ１０と通信可能に接続されているドットインパクトプリンタ２０とによって構成されている。
【００１７】
ホストコンピュータ１０は、主に、アプリケーション１１、ドットインパクトプリンタ２０の動作を制御するデバイスドライバ１２、送受信部１３、などで構成される。
【００１８】
ホストコンピュータ１０のアプリケーション１１は、印刷に係る各種コマンド等をドットインパクトプリンタ２０に実行させるためのユーザーインターフェースを提供する。ユーザーは、アプリケーション１１上で印刷データの作成や編集、印刷指示を行う。デバイスドライバ１２は、アプリケーション１１により呼び出され、ドットインパクトプリンタ２０の動作を直接制御する。
【００１９】
具体的には、アプリケーション１１での設定等に応じてイメージデータ生成部１４は、アプリケーション１１から受信したデータをドットインパクトプリンタ２０が印刷できるイメージデータを生成し、イメージデータ記憶部１５へ格納する。イメージデータ記憶部１５に格納されたイメージデータは送受信部１３を介してドットインパクトプリンタ２０へ送信される。送受信部１３は、イメージデータや各種コマンドデータをドットインパクトプリンタ２０へ送信するためのインターフェース部である。
【００２０】
なお、アプリケーション１１およびデバイスドライバ１２は、ホストコンピュータ１０の図示しない記憶領域、例えばＨＤＤに予め格納されたプログラムであり、それぞれの各種機能は、ホストコンピュータ１０の図示しない制御部（ＣＰＵ）で上記プログラムを読み出し、実行することにより実現される。
【００２１】
一方、ドットインパクトプリンタ２０の送受信部２１は、ホストコンピュータ１０から送信されたイメージデータを受信するためのインターフェース部である。送受信部２１で一時保存したイメージデータはイメージバッファ２２に展開される。印刷制御部２３は、図示せぬ印刷ヘッドやキャリッジ等を駆動させてプリントバッファ２２に展開されたドットデータを印刷用紙に対して印刷する。本実施形態のドットインパクトプリンタ２０は、印刷ヘッドの副走査方向に並べて配列された印字素子群を備えた印刷ヘッドを備えており、その印刷ヘッドを主走査方向に複数回に亘って駆動させて印刷処理を実行する。
【００２２】
搬送制御部２４は、印刷用紙を搬送するフィードローラ等を駆動制御する。
ドットインパクトプリンタ２０は、印刷ヘッドの主走査方向の１パス分のデータを複数個配列させて生成したイメージデータに基づき印字処理を実行する。このため、搬送制御部２４は、印刷ヘッドを主走査方向に１回走査させ１パス分のイメージデータを印刷する毎に、印刷用紙を所定のフィード量だけ繰り出し搬送するようになっている。
【００２３】
なお、本実施形態でいう所定のフィード量とは、印刷ヘッドの印字素子群の副走査方向の構成ドット数（本実施形態では８ドット）より１ドット少ない分に相当するフィード量（本実施形態では７ドット）を意味する。通常は、１パス分のイメージデータを印刷する毎に、印刷ヘッドの高さに相当するフィード量だけ印刷用紙を搬送すれば、パスとパスとの間に主走査方向のホワイトラインが入ることはない。しかしながら、フィード量に機械的な誤差が影響してくると、印刷ヘッドの高さに相当するフィード量を正常に搬送することができない。このため、本実施形態では、機械的な誤差を予め考慮し、印字素子群の副走査方向の構成ドット数より１ドット少ないフィード量で印刷用紙を搬送するよう構成されている。
【００２４】
（イメージデータ生成処理について）
次に、ホストコンピュータ１０のイメージデータ生成部１４が行うイメージデータ生成処理について図２及び図３を参照して説明する。図２は、イメージデータ生成処理を説明するためのフローチャートであり、図３は、イメージデータ記憶部に格納されるパスデータの配列状態を示した模式図である。
【００２５】
通常は、図３（ａ）に示すように、空白部分Ｘ，Ｙにはパスを作らずに、印刷する画像を含む部分だけにパスデータを生成する。ここでは、１つの円と１つの線を描いた画像をパスに分割しており、１パス目から５パス目まで５つのパスデータから構成されるイメージデータが生成される。
【００２６】
しかしながら、本実施形態では、図３（ｂ）に示すように、隣接するパスデータ同士が重なるように生成される。すなわち、１パス目と２パス目、３パス目と４パス目、４パス目と５パス目とが一部重なりあうようなイメージデータが生成される。
【００２７】
上記のイメージデータを生成する処理について説明する。
まず、イメージデータ生成部１４は、アプリケーション１１から受信した印刷元データをラスタライズし、ビットマップデータに変換し、変換されたビットマップデータを構成する各ドットラインデータが空白データであるか否かを判断する（ステップＳ１２）。
【００２８】
空白データではないドットラインがあると（ステップＳ１２：Ｎｏ）、そのドットラインから印刷ヘッドの印字素子群の構成ドット数、例えば８ドット数分のドットラインデータを１つのパスデータとする（ステップＳ１２，図３（ｂ）の１パス目）。この１パス目のパスデータをイメージデータ記憶部１５に格納する（ステップＳ１３）。
【００２９】
このとき、イメージデータ生成部１４は、１パス目のパスデータを構成する８ドットラインのうち下端のドットラインデータよりも１つ上、つまり７ドットライン目までを処理済として登録する（ステップＳ１４）。次に、全てのドットラインが処理済みに登録されているかを判断し、全てのドットラインが処理済みに登録されていなければ、ステップＳ１１に戻り、次に読み出すドットラインデータが空白データか否かを判断する。
このように、７ドットライン目までを処理済として登録することによって、ステップＳ１１の処理を８ドットライン目から行うことになる。
【００３０】
これにより、１パス目の下端の８ドットラインデータと同じドットラインデータを、２パス目の上端に配置させたイメージデータを生成することができる。
【００３１】
ステップＳ１１からステップＳ１５を繰り返し処理し、５パス目のパスデータまでがイメージデータ記憶部１５に格納され、最終的にステップＳ１５で全てのラインデータが処理済みに登録されたと判断すると（ステップＳ１５：Ｙｅｓ）、イメージデータをパスデータ毎にドットインパクトプリンタ２０へ送信する（ステップＳ１６）。５パス目のパスデータを送信し全てのパスデータを送信し終えると（ステップＳ１７：Ｙｅｓ）、イメージデータ生成処理を終了する。
【００３２】
（印刷結果について）
図４は、図２のフローにしたがって生成されたイメージデータに基づき、ドットインパクトプリンタ２０が行った印刷処理の結果である。図４（ａ）は、印刷用紙のフィード量が正常だった場合の印刷結果であり、図４（ｂ）は、印刷用紙のフィード量が大きかった場合の印刷結果であり、図４（ｃ）は、印刷用紙のフィード量が小さかった場合の印刷結果である。
【００３３】
図４（ａ）の印刷用紙のフィード量が正常だった場合とは、１つのパスデータを印刷する毎に、副走査方向に印刷用紙を、８ドット−１ドット＝７ドット分だけ搬送した場合である。
すなわち、１パス目のパスデータの印刷後、搬送制御部２４は７ドット分だけ印刷用紙を搬送し、１パス目の下端の８ドットラインデータと同じドットラインデータが上端に配置された２パス目のパスデータを印刷する。このため、１パス目の８ドットラインデータの上に２パス目の上端のラインデータが重なって印刷されるので、図４（ａ）に示すように、重なって印刷を行ったラインだけ濃い印刷になっている。
【００３４】
図４（ｂ）の印刷用紙のフィード量が大きかった場合とは、１つのパスデータを印刷する毎に、副走査方向に印刷用紙を、８ドット分だけ搬送されてしまった場合である。
すなわち、１パス目のパスデータの印刷後、搬送制御部２４は７ドット分だけ印刷用紙を搬送するものの、機械的な誤差により実際は８ドット分フィードしてから、２パス目のパスデータを印刷する。このため、１パス目の８ドットライン目に続いて、２パス目のパスデータが印刷されるため、図４（ｂ）に示すように、「−」の文字が太くなって印刷される。
【００３５】
図４（ｃ）の印刷用紙のフィード量が小さかった場合とは、１つのパスデータを印刷する毎に、副走査方向に印刷用紙を、６ドット分しか搬送されなかった場合である。
すなわち、１パス目のパスデータの印刷後、搬送制御部２４は７ドット分だけ印刷用紙を搬送するものの、機械的な誤差により実際は６ドット分しかフィードできず、２パス目のパスデータを印刷してしまう。このため、１パス目の６ドットライン目に続いて、２パス目の上端のラインデータが印刷されるため、図４（ｃ）に示すように、１パス目で印刷した８ドットライン目が２パス目の２ドットライン目によって重なって印刷される。
【００３６】
このように、本実施形態の印刷システム１によれば、ホストコンピュータ１０は１パス目の下端の８ドットラインデータと同じドットラインデータを、２パス目の上端の１ドットラインに配置させてイメージデータを生成する。そして、ドットインパクトプリンタ２０は１パス分の印刷を行う毎に、印刷ヘッドの高さ８ドットより１ドット少ない７フィード量で印刷用紙を搬送する。このため、ドットインパクトプリンタ２０のフィード量に機械的な誤差が生じて正常なフィード量より大きく搬送しまった場合には、２パス目のパスデータのドットラインデータを１パス目のパスデータのドットラインデータに隙間無く続けて印字することができる。したがって、フィード量に誤差が発生してもパスとパスとの間の主操作方向のホワイトラインを防止することができる。
【００３７】
また、正常にフィードされた場合や、フィード量に機械的な誤差が生じて正常なフィード量より小さくなってしまった場合でも、２パス目のパスデータを１パス目のパスデータに一部重ねて印字する。したがって、フィード量に誤差が発生してもパスとパスとの間の主操作方向のホワイトラインを防止することができる。
【００３８】
つまり、実際のフィード量の大小に関係なく、大きい場合でも小さい場合でも、そして正常にフィードされた場合でも、印刷結果にホワイトラインが入ってしまうことを防止することができる。したがって、ドットインパクトプリンタ２０の用紙送りのメカ精度の向上を必要としないのでプリンタの製造コストを変えずに実現することができる。
また、連続紙に印刷する場合には連続紙を繰り出すための紙送り穴の精度が低い場合でも、ホワイトラインが発生するのを防止することができる。
そして、ホワイトラインの発生を防止することによって、「−」の記号を「＝」に読み間違えたり、数値を誤読することを防ぐことができる。
【００３９】
（変形例）
次に上記実施形態の変形例について説明する。
上記実施形態において、正常にフィードされた場合や、フィード量に機械的な誤差が生じて正常なフィード量より小さくなってしまった場合には、１パス目のパスデータの一部に２パス目のパスデータの一部を重ねて印字するが、図４（ａ）及び（ｃ）に示すように、重なった部分は濃く印刷されてしまう。以下では、一部が濃く印刷されてしまうことに対応するイメージデータ生成方法について説明する。
【００４０】
図５は、イメージ生成方法の変形例を説明するためのフローチャートであり、図６は、本変形例におけるイメージデータ生成処理によって生成された各パスデータに基づき、ドットインパクトプリンタ２０が行った印刷処理の結果である。図６（ａ）は、印刷用紙のフィード量が正常だった場合の印刷結果であり、図６（ｂ）は、印刷用紙のフィード量が小さかった場合の印刷結果である。
なお、ステップＳ２１からステップＳ２５までの処理は、上記実施形態のステップＳ１１からステップＳ１５と同じ処理であるため、説明は省略する。
【００４１】
ここでは、図６（ａ）に示す印刷用紙のフィード量が正常だった場合を前提に説明する。
ステップＳ２５で全てのラインデータが処理済みに登録されたと判断すると（ステップＳ２５：Ｙｅｓ）、パスデータの上端のドットラインが重なっているか否かを判断する（ステップＳ２６）。１パス目の上端ドットラインは重なっていることはないため（ステップＳ２６：Ｎｏ）、次にパスデータの下端のドットラインが重なっているか否かを判断する（ステップＳ２７）。ここで１パス目の下端のドットラインは２パス目の上端のドットラインと重なっているため（ステップＳ２７：Ｙｅｓ）、１パス目の下端の奇数番目のドットを白抜きデータにする（ステップＳ２８）。
【００４２】
白抜きするドットが決定すると、１パス目のパスデータをドットインパクトプリンタ２０に送信し（ステップＳ２９）、イメージデータを構成する全てのパスデータを送信したか否かを判断する（ステップＳ３０）。２パス目のパスデータが残っているので（ステップＳ３０：Ｎｏ）、ステップＳ２６に戻り２パス目のパスデータについて処理を行う。
【００４３】
２パス目のパスデータの上端のドットラインが重なっているか否かを判断する（ステップＳ２６）。２パス目の上端のドットラインは１パス目の下端のドットラインと重なっているため（ステップＳ２６：Ｙｅｓ）、２パス目の上端の偶数番目のドットを白抜きデータにする（ステップＳ２６）。
【００４４】
次に、２パス目の下端のドットラインデータが重なっているか否かを判断し（ステップＳ２７）、重なっていれば２パス目の下端の奇数番目のドットを白抜きにし（ステップＳ２８）、重なっていなければ、２パス目のパスデータをドットインパクトプリンタ２０に送信する（ステップＳ２９）。そして、全てのパスデータの送信を終えるとイメージデータ生成処理を終了する。
【００４５】
上記変形例を印刷用紙のフィード量が小さかった場合に当てはめると、図６（ｂ）に示す印刷結果を得ることができる。
【００４６】
このように、本変形例によれば、１パス目のドットラインデータと２パス目のドットラインデータとが重なる場合には、重なる部分のドットラインデータを１パス目のパスデータと２パス目のパスデータとで交互に印刷することができる。これにより、単純に重ねて印字した場合と比べてその分部が濃く印刷されてしまうことを防止することができる。したがって、通常の印字結果と同程度の印字品質を維持することができる。
【図面の簡単な説明】
【００４７】
【図１】本実施形態の印刷システムの内部処理を説明する制御ブロック図である。
【図２】イメージデータ生成処理を説明するためのフローチャートである。
【図３】イメージデータ記憶部に格納されるパスデータの配列状態を示した模式図である。
【図４】本実施形態のドットインパクトプリンタが行った印刷処理の結果を示した図である。（ａ）は、印刷用紙のフィード量が正常だった場合の印刷結果、（ｂ）は、印刷用紙のフィード量が大きかった場合の印刷結果、（ｃ）は、印刷用紙のフィード量が小さかった場合の印刷結果である。
【図５】イメージ生成方法の変形例を説明するためのフローチャートである。
【図６】本変形例におけるドットインパクトプリンタが行った印刷処理の結果を示した図である。（ａ）は、印刷用紙のフィード量が正常だった場合の印刷結果、（ｂ）は、印刷用紙のフィード量が小さかった場合の印刷結果である。
【図７】従来のプリンタが行った印刷処理の結果を示した図である。
【符号の説明】
【００４８】
１０：ホストコンピュータ、１１：アプリケーション、１２：デバイスドライバ、１３：送受信部、１４：イメージデータ生成部、１５：イメージデータ記憶部、２０：ドットインパクトプリンタ、２１：送受信部、２２：イメージバッファ、２３：印刷制御部、２４：搬送制御部
【図１】
2008250799.tif 000003
【図２】
2008250799.tif 000004
【図３】
2008250799.tif 000005
【図４】
2008250799.tif 000006
【図５】
2008250799.tif 000007
【図６】
2008250799.tif 000008
【図７】
2008250799.tif 000009